(57)【特許請求の範囲】
【請求項１】
光源が設けられた第１面が、前記の光源からの光が導かれる光学部材が取り付けられた第２面に立ち上げられると共に、この第１面の両側に第３面と第４面とが前記の第２面に立ち上げられたハウジングを備えた光学装置において、前記の第１面に対して前記の第３面と第４面とが鈍角で接合されると共に、前記のハウジングのコーナー部分における前記の第２面が角取りされ、角取りされた第２面のコーナー部に前記の第１面が立ち上げられると共に、この第１面の両側に第３面と第４面とが前記の第２面に立ち上げられていることを特徴とする光学装置。
【請求項２】
光源が設けられた第１面が、前記の光源からの光が導かれる光学部材が取り付けられた第２面に立ち上げられると共に、この第１面の両側に第３面と第４面とが前記の第２面に立ち上げられたハウジングを備えた光学装置において、前記の第１面が外方に凸になった円弧状に形成され、この円弧状になった第１面の両側に前記の第３面と第４面が接合されると共に、前記のハウジングのコーナー部分における前記の第２面が角取りされ、角取りされた第２面のコーナー部に前記の第１面が立ち上げられると共に、この第１面の両側に第３面と第４面とが前記の第２面に立ち上げられていることを特徴とする光学装置。
【請求項３】
光源が設けられた第１面が、前記の光源からの光が導かれる光学部材が取り付けられた第２面に立ち上げられると共に、この第１面の両側に第３面と第４面とが前記の第２面に立ち上げられたハウジングを備えた光学装置において、前記の第１面に対して前記の第３面と第４面とが鈍角で接合されると共に、前記の第１面と第２面との接合部分が角取りされ、前記の第１面と第２面との接合部分が傾斜面又は円弧面になっていることを特徴とする光学装置。
【請求項４】
光源が設けられた第１面が、前記の光源からの光が導かれる光学部材が取り付けられた第２面に立ち上げられると共に、この第１面の両側に第３面と第４面とが前記の第２面に立ち上げられたハウジングを備えた光学装置において、前記の第１面が外方に凸になった円弧状に形成され、この円弧状になった第１面の両側に前記の第３面と第４面が接合されると共に、前記の第１面と第２面との接合部分が角取りされ、前記の第１面と第２面との接合部分が傾斜面又は円弧面になっていることを特徴とする光学装置。
【請求項５】
請求項1又は請求項２に記載の光学装置において、前記の第１面と第２面との接合部分が角取りされ、前記の第１面と第２面との接合部分が傾斜面又は円弧面になっていることを特徴とする光学装置。
【請求項６】
請求項１〜請求項５の何れか１項に記載の光学装置において、前記の第１面に複数の光源が設けられていることを特徴とする光学装置。
【請求項７】
光学装置により感光体に画像情報に応じた露光を行って、感光体に静電潜像を形成する画像形成装置において、請求項１〜請求項６の何れか１項に記載の光学装置を用いたことを特徴とする画像形成装置。
【発明の詳細な説明】
【技術分野】
【０００１】
本発明は、ハウジングに光源と光源からの光が導かれる光学部材が設けられた光学装置及びこのような光学装置を備えた複写機、プリンター、ファクシミリ及びこれらの複合機からなる画像形成装置に関するものである。特に、ハウジングにおける壁面に光源を取り付けると共に、ハウジング内に前記の光源から出射された光が導かれるコリメータレンズ等の光学部材を設けた光学装置において、温度変化等の残留応力を解放させる要因によりハウジングが変形するのを抑制し、光源と前記の光学部材との位置関係がずれるのを防止するようにした点に特徴を有するものである。
【背景技術】
【０００２】
従来から、複写機、プリンター、ファクシミリ及びこれらの複合機からなる画像形成装置においては、光学装置を搭載し、この光学装置により感光体に画像情報に応じた露光を行って、感光体に静電潜像を形成することが行われている。
【０００３】
そして、このような光学装置として、従来においては、光源と光源からの光が導かれる光学部材等を装着させた光源ブロックを、ハウジング内に取り付けるようにしたものが用いられていた。
【０００４】
しかし、このように光源と光源からの光が導かれる光学部材等を装着させた光源ブロックを用いた場合、部品数が多くなって、コストが高く付く等の問題があった。
【０００５】
このため、近年においては、特許文献１に示されるように、ハウジングの底部から立ち上げられたハウジングの壁面に光源を設けると共に、この光源と対向するようにしてハウジングの底部に、光源から出射された光が導かれるコリメータレンズ等の光学部材を設けるようにしたものが提案されている。
【０００６】
ここで、前記のようにハウジングの壁面に設けた光源から光を出射させた場合、この光源が発熱する等により、光源が設けられたハウジングの壁面が加熱されて変形し、光源と前記の光学部材との位置関係がずれて、光源からの光が光学部材に適切に導かれなくなり、感光体に静電潜像を適切に形成することができなくなって、画像品質に悪影響を及ぼすという問題があった。
【０００７】
このため、前記の特許文献１のものにおいては、光源を保持する嵌合部を壁面から突出するように設け、このように突出した嵌合部の近傍に風路を形成し、この風路に風を導いて、光源を保持する嵌合部から熱を放熱させて、光源が設けられたハウジングの壁面が変形するのを防止することが提案されている。
【０００８】
また、前記のハウジングとして、射出成型等により加熱された状態で成形された樹脂製のハウジングを用いるようにした場合、ハウジングの底部から立ち上げられた壁面が直交するハウジングのコーナー部分においては成形時における放熱が十分になされず、直交するコーナー部分に熱が残った状態で成形されて残留応力が残った。
【０００９】
そして、このような樹脂製のハウジングにおいて、前記のコーナー部分の壁面に光源を設けた場合に、前記の特許文献１に示すように、光源からの熱を放熱させるようにしたものであっても、輸送時や画像形成装置内の温度上昇等により、このコーナー部分の温度等が変化すると、これによりコーナー部分における残留応力が解放されて、光源が設けられたコーナー部分の壁面が変形し、光源と光学部材との位置関係がずれて、光源からの光が光学部材に適切に導かれなくなり、依然として、感光体に静電潜像を適切に形成することができなくなって、画像品質に悪影響を及ぼすという問題があった。
【先行技術文献】
【特許文献】
【００１０】
【特許文献１】特開２００６−３０８７５４号公報
【発明の開示】
【発明が解決しようとする課題】
【００１１】
本発明は、ハウジングにおける壁面に光源を取り付けると共に、ハウジング内に前記の光源から出射された光が導かれるコリメータレンズ等の光学部材を設けた光学装置において、温度変化等の残留応力を解放させる要因によりハウジングが変形するのを抑制し、光源と前記のコリメータレンズ等の光学部材との位置関係がずれるのを適切に防止することを課題とするものである。
【課題を解決するための手段】
【００１２】
本発明に係る第１の光学装置においては、前記の課題を解決するため、光源が設けられた第１面が、前記の光源からの光が導かれる光学部材が取り付けられた第２面に立ち上げられると共に、この第１面の両側に第３面と第４面とが前記の第２面に立ち上げられたハウジングを備えた光学装置において、前記の第１面が外方に凸になった円弧状に形成され、この円弧状になった第１面の両側に前記の第３面と第４面が接合されると共に、前記のハウジングのコーナー部分における前記の第２面が角取りされ、角取りされた第２面のコーナー部に前記の第１面が立ち上げられると共に、この第１面の両側に第３面と第４面とが前記の第２面に立ち上げられるようにした。
【００１３】
また、本発明に係る第２の光学装置においては、光源が設けられた第１面が、前記の光源からの光が導かれる光学部材が取り付けられた第２面に立ち上げられると共に、この第１面の両側に第３面と第４面とが前記の第２面に立ち上げられたハウジングを備えた光学装置において、前記の第１面が外方に凸になった円弧状に形成され、この円弧状になった第１面の両側に前記の第３面と第４面が接合されると共に、前記のハウジングのコーナー部分における前記の第２面が角取りされ、角取りされた第２面のコーナー部に前記の第１面が立ち上げられると共に、この第１面の両側に第３面と第４面とが前記の第２面に立ち上げられるようにした。
【００１４】
ここで、前記の第１の光学装置においては、前記の第１面に対して前記の第３面と第４面とが鈍角で接合されるようにし、また第２の光学装置においては、前記の第１面が外方に凸になった円弧状に形成されて、この円弧状になった第１面の両側に前記の第３面と第４面が接合されるようにするにあたり、前記のハウジングのコーナー部分における前記の第２面を直線状或いは円弧状に角取りし、角取りされた第２面のコーナー部に前記の第１面を立ち上げると共に、この第２面のコーナー部の両側に第３面と第４面とを立ち上げて、第１面の両側に第３面と第４面とを接合させるようにしている。
【００１５】
そして、光学部材が取り付けられた第２面に立ち上げるようにして、光源が取り付けられた第１面とその両側における第３面と第４面とを設けるにあたり、第１の光学装置のように、第１面とその両側における第３面と第４面とが鈍角で接合されるようにし、或いは第２の光学装置のように、外方に凸になった円弧状に形成された第１面の両側に第３面と第４面とが接合されるようにすると、第２面に立ち上げられた壁面が直交する場合に比べて、第２面に立ち上げられた第１面やその両側における第３面及び第４面の接合部分が解放された状態になり、これらの接合部分の周辺部分において放熱されやすくなる。このため、前記のように射出成型等により加熱された状態でハウジングを成形させた場合に、第２面に立ち上げられた第１面やその両側における第３面及び第４面の接合部分の周辺において適切に放熱され、これらの接合部分の周辺に残留応力が残るのが防止される。
【００１６】
また、前記のような各光学装置において、前記の第１面と第２面との接合部分を角取りさせて、前記の第１面と第２面との接合部分が傾斜面又は円弧面になるようにすると、第１面と第２面との接合部分の周辺においてさらに適切に放熱され、前記のように射出成型等により加熱された状態でハウジングを成形させた場合に、第１面と第２面との接合部分の周辺に残留応力が残るのが一層防止されるようになる。
【００１７】
また、前記の光学装置において、前記の第１面に設ける光源の数は限定されず、複数の光源を設けるようにすることができる。
【００１８】
また、本発明の画像形成装置においては、光学装置により感光体に画像情報に応じた露光を行って、感光体に静電潜像を形成するにあたり、前記のような光学装置を用いるようにした。
【発明の効果】
【００１９】
本発明における第１及び第２の光学装置のように、光学部材が取り付けられた第２面に立ち上げるようにして、光源が取り付けられた第１面とその両側における第３面と第４面とを設けるにあたり、第１面とその両側における第３面と第４面と鈍角で接合されるようにし、或いは外方に凸になった円弧状に形成された第１面の両側に第３面と第４面とが接合させるようにすると共に、前記のハウジングのコーナー部分における前記の第２面を角取りし、角取りされた第２面のコーナー部に前記の第１面を立ち上げると共に、この第１面の両側に第３面と第４面とを前記の第２面に立ち上げるようにすると、前記のように射出成型等により加熱された状態でハウジングを成形させた場合に、第２面に立ち上げられた第１面やその両側における第３面及び第４面の接合部分の周辺において適切に放熱され、これらの接合部分の周辺に残留応力が残るのが防止される。
【００２０】
この結果、本発明における第１及び第２の光学装置においては、第１面に取り付けられた光源が発熱し、また輸送時や画像形成装置内の温度上昇等によって、第２面に立ち上げられた第１面やその両側における第３面及び第４面の接合部分の周辺において温度上昇等、残留応力を解放させる要因があっても、これらの接合部分の周辺に残留応力が残っていないため、残留応力が解放されて、これらの接合部分が変形するということがなく、第１面に取り付けられた光源と第２面に取り付けられた光学部材との位置関係がずれるのが防止され、光源からの光が光学部材に適切に導かれるようになる。
【００２１】
また、本発明における第１及び第２の光学装置においては、光源が取り付けられた第１面がその両側における第３面と第４面とに接合され、第１面が第３面と第４面とによって規制された状態になり、光源が取り付けられた第１面が変形するのがより一層防止されるようになる。
【００２２】
そして、このような光学装置を用いた画像形成装置においては、この光学装置により感光体に画像情報に応じた露光を行って、感光体に静電潜像を形成するにあたり、光源からの光が光学部材に適切に導かれ、感光体に静電潜像が適切に形成されるようになり、良好な画像が安定して得られるようになる。
【図面の簡単な説明】
【００２３】
【図１】本発明の実施形態に係る光学装置を用いる画像形成装置の例を示した概略断面図である。
【図２】本発明の実施形態に係る光学装置において、光学部材が取り付けられる第２面の１つのコーナー部分を直線状に角取りしたハウジングを使用した状態を示した部分概略平面図である。
【図３】前記の実施形態に係る光学装置において、光学部材が取り付けられる第２面の１つのコーナー部分を直線状に角取りしたハウジングを使用した状態を示した部分概略斜視図である。
【図４】前記の実施形態に係る光学装置において、光学部材が取り付けられる第２面の１つのコーナー部分を外方に凸になった円弧状に角取りした変更例のハウジングを使用した状態を示した部分概略斜視図である。
【図５】前記の実施形態に係る光学装置において、光学部材を取り付けた第２面と光源を取り付けた第１面との接合部分を傾斜させて、第２面と第１面との間に傾斜面を設けた状態を示した断面説明図である。
【図６】前記の実施形態に係る光学装置において、光学部材を取り付けた第２面と光源を取り付けた第１面との接合部分を円弧状にして、第２面と第１面との間に円弧面を設けた状態を示した断面説明図である。
【発明を実施するための形態】
【００２４】
次に、本発明の実施形態に係る光学装置及びこの光学装置を用いる画像形成装置を添付図面に基づいて具体的に説明する。なお、本発明に係る光学装置及び画像形成装置は、下記の実施形態に示したものに限定されず、その要旨を変更しない範囲において適宜変更して実施できるものである。
【００２５】
先ず、本発明の実施形態に係る光学装置を使用する画像形成装置の例を図１に基づいて説明する。
【００２６】
ここで、図１に示す画像形成装置においては、その装置本体１内に４つの感光体１１を設けると共に、各感光体１１の周辺にそれぞれ、感光体１１の表面を帯電させる帯電装置１２と、現像剤を収容させて感光体１１にトナー像を形成する現像装置１３と、感光体１１に形成されたトナー像を後述する中間転写ベルト１７に転写させた後、感光体１１の表面に残留するトナーを回収する第１クリーニング装置１４とを設けている。
【００２７】
そして、４つの感光体１１に対応させて設けた各現像装置１３においては、それぞれ現像剤中におけるトナーの色彩を異ならせ、黒色，黄色，マゼンダ色，シアン色のトナーを収容させている。
【００２８】
そして、この画像形成装置において、フルカラーの画像形成を行うにあたっては、前記の各感光体１１を回転させて、各感光体１１の表面をそれぞれ帯電装置１２によって帯電させ、このように帯電された各感光体１１の表面に対して、後述する光学装置１００からそれぞれの画像形成情報に従った露光を行い、各感光体１１の表面にそれぞれ静電潜像を形成するようにしている。
【００２９】
次いで、このように静電潜像が形成された各感光体１１に対して、それぞれ対応する現像装置１３から所定の色彩のトナーを、各感光体１１の静電潜像部分に供給して現像を行い、各感光体１１の表面にそれぞれの色彩のトナー像を形成するようにしている。
【００３０】
そして、前記のように各感光体１１に形成された各色彩のトナー像を、所要間隔を介して設けられた回転ローラー１６間に架け渡されて回転駆動される無端状の中間転写ベルト１７の表面に、前記の各感光体１１と対向して設けられた各一次転写ローラー１８により順々に一次転写させて、この中間転写ベルト１７の表面に各色彩のトナー像が合成されたトナー像を形成するようにしている。また、前記の中間転写ベルト１７に転写されずに各感光体１１の表面に残留しているトナーを、それぞれ対応して設けられた前記の第１クリーニング装置１４により、各感光体１１の表面から回収するようにしている。
【００３１】
そして、前記のように中間転写ベルト１７の上に形成されたトナー像を、この中間転写ベルト１７により二次転写ローラー１９と対向する位置に導くと共に、装置本体１の下部に収容された用紙Ｓを、給紙ローラー２１により給紙してタイミングローラー２２に送り、このタイミングローラー２２により用紙Ｓを適当なタイミングで中間転写ベルト１７と二次転写ローラー１９との間に導き、中間転写ベルト１７の上に形成されたトナー像を前記の二次転写ローラー１９により用紙Ｓに転写させるようにしている。また、用紙Ｓに転写されずに前記の中間転写ベルト１７の上に残ったトナーを、第２クリーニング装置２０によって中間転写ベルト１７の上から回収するようにしている。
【００３２】
そして、前記のようにトナー像が転写された用紙Ｓを定着装置２３に導き、この定着装置２３により用紙Ｓに転写された前記のトナー像を用紙Ｓに加熱定着させた後、このようにトナー像が定着された用紙Ｓを排紙ローラー２４により排紙させるようにしている。
【００３３】
次に、本発明の実施形態に係る光学装置１００について説明する。
【００３４】
ここで、この実施形態の光学装置１００においては、図２及び図３に示すように、ハウジング１１０として、コリメータレンズからなる光学部材１０２を取り付ける基板部に当たる第２面１１２の１つのコーナー部分を直線状に角取りした形状にし、角取りされたコーナー部分とその両側の部分との角度が鈍角、例えば１３０°〜１４０°になるようにしている。
【００３５】
そして、前記のように角取りされた第２面１１２のコーナー部分から半導体レーザー等からなる光源１０１を取り付ける第１面１１１を立ち上げると共に、角取りされたコーナー部分の両側に第３面１１３と第４面１１４とを立ち上げ、前記の第１面１１１に対して、この第３面１１３と第４面１１４とが鈍角で接合されるようにしている。すなわち、基板部のコーナー部分とその両側の部分に形成された壁部が、第１面１１１、第３面１１３および第４面１１４を成している。なお、前記のように第２面１１２の１つのコーナー部分を角取りして、この第２面１１２から第１面１１１と第３面１１３と第４面１１４とを立ち上げるようにした場合、ハウジング１１０の体積が少なくなって、ハウジング１１０に要する材料費が低減される。
【００３６】
また、この実施形態の光学装置１００においては、前記の第１面１１１に４つの光源１０１を斜めに所要間隔を介して配置させると共に、前記の第２面１１２に４つの光学部材１０２を前記の４つの光源１０１とそれぞれ対向するようにして配置させ、前記の各光源１０１を光源ホルダー１０３により前記の第１面１１１に取り付けると共に、前記の各光学部材１０２をホルダー部材１０４により前記の第２面１１２の上に取り付けている。なお、この実施形態においては、光源１０１を光源ホルダー１０３により第１面１１１に取り付けると共に、光学部材１０２をホルダー部材１０４により第２面１１２に取り付けるようにしたが、光源１０１を第１面１１１に直接取り付けると共に、光学部材１０２を第２面１１２に直接取り付けるようにすることもできる。
【００３７】
そして、この実施形態の光学装置１００においては、第１面１１１に設けた各光源１０１から第２面１１２に設けた各光学部材１０２に向けて出射し、各光源１０１からの光を各光学部材１０２により平行光になるように処理し、このように処理された光をそれぞれ反射鏡等の偏向部材（図示せず）により偏向させてポリゴンミラー等の走査光学素子（図示せず）に導き、この走査光学素子から前記の画像形成装置に設けられた各感光体１１に画像情報に応じた露光を行うようにしている。
【００３８】
ここで、この実施形態のように、第１面１１１とその両側における第３面１１３と第４面１１４とを鈍角で接合させるようにすると、第２面１１２に立ち上げられた第１面１１１やその両側における第３面１１３及び第４面１１４の接合部分における２つの面に挟まれる側の角が、鋭角や直角に接合された場合と比較して解放された状態になり、その周辺部分において放熱されやすくなる。
【００３９】
このため、射出成型等により加熱された状態でハウジング１１０を成形させた場合においても、成形時における熱が第２面１１２から立ち上げられた第１面１１１やその両側における第３面１１３及び第４面１１４の接合部分の周辺において適切に放熱され、第１面１１１とその両側における第３面１１３及び第４面１１４との接合部分の周辺に残留応力が残るのが防止される。
【００４０】
そして、このように第２面１１２から立ち上げられた第１面１１１やその両側における第３面１１３及び第４面１１４の接合部分の周辺に残留応力が残っていないため、第１面１１１に取り付けられた各光源１０１が発熱したり、輸送時や環境条件の変化等によって、第２面１１２から立ち上げられた第１面１１１やその両側における第３面１１３及び第４面１１４の接合部分の周辺の温度等が変化しても、従来のように残留応力が解放されて、これらの接合部分が変形するということがなく、第１面１１１に取り付けられた光源１０１と第２面１１２に取り付けられた光学部材１０２との位置関係がずれるのが防止され、光源１０１からの光が光学部材１０２に適切に導かれるようになる。
【００４１】
このため、このような光学装置１００を前記の画像形成装置に用いた場合、各感光体１１に対して各光源１０１からの光が適切に導かれ、良好な画像形成が行えるようになる。
【００４２】
また、前記のように角取りされた第２面１１２のコーナー部分から第１面１１１を立ち上げると共に、この第１面１１１と接合するようにして両側に第３面１１３と第４面１１４とを立ち上げているため、光源１０１が取り付けられた第１面１１１と光学部材１０２が取り付けられた第２面１１２との接合部分の長さが短くなって、第１面１１１と第２面１１２との間の曲げ剛性が高くなると共に、この第１面１１１がその両側における第３面１１３と第４面１１４とに保持されて規制された状態になり、光源１０１が取り付けられた第１面１１１が、光学部材１０２が取り付けられた第２面１１２に対して変形するのが一層防止されるようになる。
【００４３】
なお、この実施形態の光学装置１００においては、第２面１１２の１つのコーナー部分を直線状に角取りし、この第２面１１２のコーナー部分から立ち上げられた第１面１１１と、その両側に立ち上げられた第３面１１３と第４面１１４とが鈍角で接合されたハウジング１１０を用いるようにしたが、使用するハウジング１１０はこのようなものに限定されない。
【００４４】
例えば、図４に示す光学装置１００のように、光学部材１０２を取り付ける第２面１１２の１つのコーナー部を外方に凸になった円弧状に角取りし、角取りされたコーナー部分から光源１０１を取り付ける第１面１１１を立ち上げると共に、円弧状に角取りされた第２面１１２のコーナー部分の両側から第３面１１３と第４面１１４を立ち上げ、前記の外方に凸になった円弧状になって立ち上げられた第１面１１１の両側に第３面１１３と第４面１１４とが接合されたハウジング１１０を用いることもできる。
【００４５】
そして、このようにした場合も、前記の実施形態のものと同様に、第２面１１２から立ち上げられた第１面１１１やその両側における第３面１１３及び第４面１１４の接合部分が解放された状態になり、その周辺部分において放熱されやすくなり、前記の実施形態のものと同様の効果が得られる。
【００４６】
また、前記のように第２面１１２のコーナー部から第１面１１１を立ち上げるにあたり、第２面１１２と第１面１１１との接合部分を角取りし、図５に示すように、第２面１１２と第１面１１１との接合部分を傾斜させて、第２面１１２と第１面１１１との間に傾斜面１１５を設けるようにしたり、図６に示すように、第２面１１２と第１面１１１との接合部分を円弧状にして、第２面１１２と第１面１１１との間に円弧面１１６を設けるようにすることもできる。
【００４７】
そして、このように第２面１１２と第１面１１１との接合部分を角取りして、第２面１１２と第１面１１１との間に傾斜面１１５や円弧面１１６を設けると、第２面１１２と第１面１１１との接合部分における熱が、この傾斜面１１５や円弧面１１６から放熱されやすくなり、第２面１１２と第１面１１１との接合部分の周辺に残留応力が残るのが一層防止され、光源１０１が取り付けられた第１面１１１が、光学部材１０２が取り付けられた第２面１１２に対して変形するのが一層防止されるようになる。
【符号の説明】
【００４８】
１      ：装置本体
１１    ：感光体
１２    ：帯電装置
１３    ：現像装置
１４    ：第１クリーニング装置
１６    ：回転ローラー
１７    ：中間転写ベルト
１８    ：一次転写ローラー
１９    ：二次転写ローラー
２０    ：第２クリーニング装置
２１    ：給紙ローラー
２２    ：タイミングローラー
２３    ：定着装置
２４    ：排紙ローラー
１００  ：光学装置
１０１  ：光源
１０２  ：光学部材
１０３  ：光源ホルダー
１０４  ：ホルダー部材
１１０  ：ハウジング
１１１  ：第１面
１１２  ：第２面
１１３  ：第３面
１１４  ：第４面
１１５  ：傾斜面
１１６  ：円弧面
Ｓ      ：用紙
【図１】
0006398590.tif 000002
【図２】
0006398590.tif 000003
【図３】
0006398590.tif 000004
【図４】
0006398590.tif 000005
【図５】
0006398590.tif 000006
【図６】
0006398590.tif 000007